(57)【要約】【課題】電源がオフ状態の場合であっても、意匠性を向上させることができる表示装置を提供する。【解決手段】表示画面３に情報を表示するオン状態と、情報を表示しないオフ状態と、を有する表示パネル１２と、指針１１を有する速度計２と、表示パネル１２の視認者側の面である表面側、かつ指針１１の裏面側に設けられる文字板１３と、を有する。文字板１３は、表示パネル１２の表示画面３の位置に対応するパネル側表示領域６２と、指針１１により指示される指標４１を有し指針１１が指示する領域である計器側表示領域６１と、を有する。文字板１３は、パネル側表示領域６２および計器側表示領域６１に、オフ状態の場合に視認者に視認させる透過性の模様６８が形成された装飾層を、文字板１３の表面側に有する。【選択図】図１
2019100752.tif 000002
【特許請求の範囲】
【請求項１】
表示画面に情報を表示する表示パネルと、
前記表示パネルの視認者側の面である表面側に設けられ、前記表示パネルの前記表示画面の位置に対応するパネル側表示領域を有する文字板と、を備え、
前記文字板は、前記パネル側表示領域に、透過性の模様が形成された装飾層を、前記文字板の前記表面側に有する、表示装置。
【請求項２】
指針を有する計器をさらに備え、
前記文字板は、前記指針の裏面側に設けられ、前記指針により指示される指標を有し前記指針が指示する領域である計器側表示領域を有し、
前記文字板は、前記計器側表示領域に、前記装飾層を前記文字板の前記表面側に有する、請求項１記載の表示装置。
【請求項３】
前記パネル側表示領域および前記計器側表示領域は、同一形状で対称的に配置されている請求項２記載の表示装置。
【請求項４】
前記表示画面は、第１の情報を表示する第１の表示領域と、第２の情報を表示する第２の表示領域と、を有し、
前記パネル側表示領域は、前記第１の表示領域に対応する第１のパネル側表示領域と、前記第２の表示領域に対応する第２のパネル側表示領域と、を有し、
前記計器側表示領域は、前記第１のパネル側表示領域に対応する第１の計器側表示領域と、前記第２のパネル側表示領域に対応する第２の計器側表示領域と、を有し、
前記第１のパネル側表示領域および前記第１の計器側表示領域は、前記模様を有し、前記第２のパネル側表示領域および前記第２の計器側表示領域は、前記模様を有していない、請求項３記載の表示装置。
【請求項５】
前記表示画面は、第１の情報を表示する第１の表示領域と、第２の情報を表示する第２の表示領域と、を有し、
前記パネル側表示領域は、前記第１の表示領域に対応する第１のパネル側表示領域と、前記第２の表示領域に対応する第２のパネル側表示領域と、を有し、
前記計器側表示領域は、前記第１のパネル側表示領域に対応する第１の計器側表示領域と、前記第２のパネル側表示領域に対応する第２の計器側表示領域と、を有し、
前記第１のパネル側表示領域および前記第１の計器側表示領域が有する模様は、前記第２のパネル側表示領域および前記第２の計器側表示領域が有する模様とは異なる、請求項３記載の表示装置。
【発明の詳細な説明】
【技術分野】
【０００１】
本発明は、車両等に搭載される表示装置に関する。
【背景技術】
【０００２】
自動車等の車両には、速度計、エンジン回転数計等の運転に必要な情報を表示する表示装置が搭載されている。このような表示装置の一つとして、光源のオンとオフとを切り替えて必要な情報を表示パネルに表示するデジタル表示装置が知られている。
【先行技術文献】
【特許文献】
【０００３】
【特許文献１】特開２０１５−２１７８１５号公報
【発明の概要】
【発明が解決しようとする課題】
【０００４】
デジタル表示装置は、表示装置に電源が投入されている場合、表示装置に情報が表示され、ユーザに視認される。一方、電源が投入されてない場合、一般的には黒色の平坦なパネルが存在するのみである。このため、パネルの周囲の部材と比べて質感がなく、電源が投入されていない場合には違和感を与えてしまう。
【０００５】
特に、デジタル表示装置と、指針式（機械式）計器とが組み合わされた表示装置の場合、電源が投入されていない場合におけるデジタル表示装置と指針式計器との質感の相違が大きく、大きな違和感を与えてしまう。
【０００６】
本発明はこのような事情を考慮してなされたもので、電源がオフ状態の場合であっても、意匠性を向上させることができる表示装置を提供することを目的とする。
【課題を解決するための手段】
【０００７】
本発明に係る表示装置は、上述した課題を解決するために、表示画面に情報を表示する表示パネルと、前記表示パネルの視認者側の面である表面側に設けられ、前記表示パネルの前記表示画面の位置に対応するパネル側表示領域を有する文字板と、を備え、前記文字板は、前記パネル側表示領域に、透過性の模様が形成された装飾層を、前記文字板の前記表面側に有する。
【発明の効果】
【０００８】
本発明に係る表示装置においては、電源がオフ状態の場合であっても、意匠性を向上させることができる。
【図面の簡単な説明】
【０００９】
【図１】本発明に係る表示装置の実施形態である表示装置を示す正面図であり、（Ａ）は表示装置のオン状態を示す説明図であり、（Ｂ）はオフ状態を示す説明図。
【図２】図１（Ｂ）のII−II線に沿う断面図。
【図３】図２の一部であり、表示画面側を特に示す部分拡大図。
【図４】文字板の正面図。
【図５】表示装置の変形例を示す正面図。
【図６】表示装置の他の変形例を示す正面図。
【図７】表示装置のさらに他の変形例を示す正面図。
【発明を実施するための形態】
【００１０】
本発明に係る表示装置の実施形態を添付図面に基づいて説明する。本発明に係る表示装置は、例えば自動車や二輪車等の車両や、船舶、農業機械、建設機械に搭載される。本実施形態においては、本発明に係る表示装置が、液晶表示パネルと速度計とを有する自動車用の表示装置である例を用いて説明する。
【００１１】
図１は、本発明に係る表示装置の実施形態である表示装置１を示す正面図であり、（Ａ）は表示装置１のオン状態を示す説明図であり、（Ｂ）はオフ状態を示す説明図である。
【００１２】
図２は、図１（Ｂ）のII−II線に沿う断面図である。
【００１３】
図３は、図２の一部であり、表示画面３側を特に示す部分拡大図である。
【００１４】
図４は、文字板１３の正面図である。
【００１５】
以下の説明において、「表面側」は、図１における手前側、および図２における上側（上ケース７３側）であり視認者（運転者）に視認される側を意味する。「裏面側」は、図１における奥側、および図２における下側を意味する。
【００１６】
表示装置１は、速度計２と、液晶表示画面である表示画面３と、を有している。速度計２（計器）は、車両の速度を表示する指針式（機械式）計器である。表示画面３は、走行距離やガソリン残量、ナビゲーション情報等の種々の情報を表示する。速度計２および表示画面３は、表示装置１において左右に並んで配置されている。
【００１７】
表示装置１は、指針駆動部１０と、指針１１と、表示パネル１２と、文字板１３と、回路基板１４と、ケース１５と、を主に有している。
【００１８】
指針駆動部１０は、入力された車両の速度に応じて、指針軸２１を回転する。指針１１は、指針軸２１に接続されており、文字板１３の面に平行する面上を回転することにより、速度に対応する文字板１３に形成された指標４１を指し示す。
【００１９】
表示パネル１２は、表示パネル１２は、液晶層を封入する一対の表面ガラス基板を有している。一対のガラス基板には、ＩＴＯ（Indium Tin Oxide）等により透明電極が形成されている。また、表示パネル１２は、一対の表面ガラス基板を挟み込むように配置された一対の表面偏光板（偏光フィルタ）を有している。表示パネル１２は、ＦＰＣ（Flexible Printed Circuits）等の可撓性基板を介して、回路基板１４に接続されている。表示パネル１２は、回路基板１４の制御部により制御されることにより、透明電極を介して液晶層に駆動電圧が印加される。これにより、液晶層の液晶分子の配向が制御され、表示パネル１２の個々の画素が透過状態または不透過状態に切り替わる。このような画素の組合せにより、表示パネル１２は、表示画面３に所定の情報を表示する。
【００２０】
また、表示パネル１２の裏面側には、バックライトユニット３１（図３）が設けられている。バックライトユニット３１は、ＬＥＤ（Light Emitting Diode）等の光源および導光体からなり、表示パネル１２を裏面から照明する。
【００２１】
表示パネル１２（表示装置１）は、表示画面３に情報を表示するオン状態と、情報を表示しないオフ状態と、を有している。オン状態は、表示装置１に電源が投入され、回路基板１４の制御部により表示パネル１２が制御されることにより、表示画面３に走行距離等の情報が表示されている状態である。また、速度計２におけるオン状態は、光源が文字板１３を透過することにより、指標４１が点灯されており、指針１１が車両の速度を指示している状態である。オフ状態は、表示装置１に電源が投入されておらず表示画面３に情報が表示されていない状態である。また、速度計２におけるオフ状態は、指標４１が点灯されておらず、指標４１が明確に視認されていない状態である。
【００２２】
文字板１３は、表示パネル１２の表面側に設けられおり、表示画面３を含む表示パネル１２を覆っている。また、文字板１３は、指針１１の裏面側に設けられている。文字板１３は、計器側表示領域６１と、パネル側表示領域６２と、を有している。計器側表示領域６１は、指針１１により指示される指標４１を有し、主に指標４１が指示する領域（速度計２の表示領域）である。パネル側表示領域６２は、表示パネル１２の表示画面３の位置にほぼ対応する領域である。計器側表示領域６１およびパネル側表示領域６２は、同一形状で対称的に配置されている。本実施形態においては、計器側表示領域６１およびパネル側表示領域６２は、正円形状であって左右対称的に配置されている。
【００２３】
計器側表示領域６１およびパネル側表示領域６２の外縁には、装飾リング６０、６０（図３においては図示省略）が配置されている。
【００２４】
図３に示すように、文字板１３は、基材６５と、意匠層６６と、装飾層６７と、を有している。基材６５は、例えば透過性（透光性）を有するポリカーボネート樹脂の板状部材である。意匠層６６は、基材６５の裏面側（または表面側）に形成された黒色の遮光性インキで印刷された印刷層である。意匠層６６は、抜き文字状に形成された目盛り、数字および文字等の指標４１を有している。指標４１は、文字板１３の裏面１３ｂ側から照射された光源の光が透過することにより、点灯表示される。装飾層６７は、文字板１３の表面１３ａ側、すなわち基材６５上に設けられている。装飾層６７の詳細については後述する。
【００２５】
回路基板１４は、表示パネル１２や光源のドライバおよび制御部と、光源と、指針駆動部１０と、を主に有している。
【００２６】
制御部は、ＣＰＵ（Central Processing Unit）、ＲＯＭ（Read Only Memory）、ＲＡＭ（Random Access Memory）等を有しており、例えば、ＲＯＭに書き込まれたプログラムに従って所定の演算処理を実行する。制御部は、例えば、車両のＥＣＵ（Electronic Control Unit）から車速、各種車両情報等を、各種センサ等を介して取得する。制御部は、取得した情報に基づき、速度計２や表示画面３を駆動制御する。
【００２７】
光源は、ＬＥＤ（Light Emitting Diode）であり、文字板１３を裏面１３ｂ側から照明する。
【００２８】
ケース１５は、中ケース７１と、下ケース７２と、上ケース７３と、を有している。中ケース７１は白色等の合成樹脂からなり、表示パネル１２、文字板１３および回路基板１４を固定し、支持する。中ケース７１は、文字板１３用の光源を囲い光を導く遮光壁を有している。遮光壁は、光源の照明（発光）領域を区切る壁で筒状の空間を形成しており、光はこの筒状の空間を通る。遮光壁の一端は回路基板１４に当接されており、他端（中ケース７１の文字板１３と対向する面）は文字板１３の裏面１３ｂに当接されている。
【００２９】
上ケース７３および下ケース７２は黒色等の合成樹脂からなり、嵌合されることにより形成される内部空間を形成し、この内部空間に指針駆動部１０、指針１１、表示パネル１２、文字板１３および回路基板１４を収容する。
【００３０】
次に、文字板１３の装飾層６７の詳細について、説明する。
【００３１】
図３に示すように、装飾層６７は、文字板１３の表面１３ａ側に設けられている。装飾層６７は、表示装置１が図１（Ｂ）に示すオフ状態の場合に視認者に視認させる模様６８が形成されている。模様６８は、例えば透明な透過性インキで印刷された同心円状のヘアライン模様である。
【００３２】
文字板１３の表面１３ａにおいては、模様６８が形成された部分の反射率は、模様６８が形成されていない文字板１３そのものの部分の反射率よりも大きい。これにより、表示パネル１２がオフ状態の場合には、模様６８が強調されて、視認者は模様６８を視認する。模様６８は、速度計２側にも設けられているため、速度計２および表示画面３は、外観に統一感を有している。
【００３３】
一方、表示パネル１２が図１（Ａ）に示すオン状態の場合には、模様６８は透過性インキで印刷されているため、光源の光を透過する。模様６８（文字板１３）を透過した光源の光の輝度は、模様６８で反射した外光の輝度よりも大きい。このため、視認者は、模様６８を視認しづらくなり、表示画面３が表示する情報をより明確に視認する。また、速度計２においても指標４１が点灯する。このため、視認者は、模様６８を視認しづらくなり、速度計２が表示する速度をより明確に視認する。
【００３４】
このような本実施形態における表示装置１は、表示装置１がオフ状態時に模様６８を視認させることができるため、オフ状態時においても表示パネル１２側に質感を感じさせることができ、表示装置１の意匠性を向上させることができる。すなわち、オフ状態時において、速度計２側には指標４１や指針１１が存在するが、表示画面３には何も表示されていない。このため、表示画面３は黒い平板があるのみで、速度計２に比べて質感がないことに対する違和感を与えてしまったり、表示装置１としての外観性に欠けたりする恐れがある。しかし、本実施形態における表示装置１は、パネル側表示領域６２に模様６８を有するため、視認者に与える違和感を緩和させることができる。
【００３５】
また、模様６８は、計器側表示領域６１にも設けられているため、速度計２および表示画面３は、外観に統一感を有することができる。また、特にパネル側表示領域６２と計器側表示領域６１との模様６８を統一（同様の模様に）したため、表示装置１は、表示装置１の全体において統一感を有することができる。
【００３６】
また、表示装置１は、模様６８が透過性インキで印刷されているため、オン状態時においては模様６８が視認者に視認されることない。このため、表示装置１は、表示画面３における情報の視認性を阻害することもない。また、オフ状態からオン状態に切り替わる際には、表示画面３においては模様６８から情報が出現するような視覚効果を演出することができ、表示装置１としての価値を高めることができる。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３８】
例えば、模様６８は、上述した同心円状のヘアラインに限らない。例えば、図５は、表示装置１の変形例を示す正面図である。文字板１３は、カーボン調の模様８０を有していてもよい。
【００３９】
また、模様６８は、社名や製品名等のロゴと組み合わされたものであってもよい。この場合、装飾層６７は、ロゴに対応する部分のみ模様６８を形成せずに、模様６８に対してロゴを抜き文字状に形成することができる。また、表示パネル１２のオン状態時に、ロゴ部分のみ光源で照明することにより、表示装置１は、オフ状態時のみならずオン状態時の意匠性も向上することができる。
【００４０】
また、模様６８は、印刷以外にも金型転写やケガキ加工等種々の方法により形成することができる。
【００４１】
また、計器側表示領域６１およびパネル側表示領域６２は、模様を有する領域と有しない領域とを有していてもよい。例えば、図６は、表示装置１の他の変形例を示す正面図である。
【００４２】
表示画面３は、第１の表示領域３ａと、第２の表示領域３ｂと、を有している。第２の表示領域３ｂは、表示画面３内の情報において、相対的に重要な情報である第２の情報を表示する領域である。図６の例では、第２の表示領域３ｂは、運転者に対して表示される警告が表示される領域であり、表示画面３内においては中心に位置している。第１の表示領域３ａは、表示画面３内で第１の表示領域３ａ以外の領域である。図６の例では、第１の表示領域３ａは特に情報は表示されておらず、表示画面３の外周側の領域である。
【００４３】
パネル側表示領域６２は、第１のパネル側表示領域６２ａと、第２のパネル側表示領域６２ｂと、を有している。第１のパネル側表示領域６２ａは、表示画面３の第１の表示領域３ａに対応し、第１の表示領域３ａと同じ位置に設けられた領域である。第２のパネル側表示領域６２ｂは、表示画面３の第２の表示領域３ｂに対応し、第２の表示領域３ｂと同じ位置に設けられた領域である。
【００４４】
また、計器側表示領域６１は、第１の計器側表示領域６１ａと、第２の計器側表示領域６１ｂと、を有している。第１の計器側表示領域６１ａは、第１のパネル側表示領域６２ａに対応し、第１の計器側表示領域６１ａ内において第１のパネル側表示領域６２ａと同じ位置に設けられた領域である。第２の計器側表示領域６１ｂは、第２のパネル側表示領域６２ｂに対応し、第２の計器側表示領域６１ｂ内において第２のパネル側表示領域６２ｂと同じ位置に設けられた領域である。すなわち、第１のパネル側表示領域６２ａおよび第１の計器側表示領域６１ａと、第２のパネル側表示領域６２ｂおよび第２の計器側表示領域６１ｂとは、表示装置１内において左右対称的に配置されている。
【００４５】
第１のパネル側表示領域６２ａおよび第１の計器側表示領域６１ａは、模様９０を有している。一方、第２のパネル側表示領域６２ｂおよび第２の計器側表示領域６１ｂは、模様９０を有していない。これにより、表示パネル１２がオン状態時に、より重要な情報である第２の表示領域３ｂに表示される第２の情報は、外光の反射等に起因して模様９０が視認されてしまうことにより、視認性が阻害されることがない。
【００４６】
また、第２の情報の視認性をさらに高めるため、第２のパネル側表示領域６２ｂは基材６５がくり抜かれた開口であってもよい。
【００４７】
さらに、図６の第１のパネル側表示領域６２ａおよび第２のパネル側表示領域６２ｂは、異なる模様を有していてもよい。同様に、第１の計器側表示領域６１ａおよび第２の計器側表示領域６１ｂとは、異なる模様を有していてもよい。例えば、図７は、表示装置１のさらに他の変形例を示す正面図である。
【００４８】
第１の表示領域３ａは、バッテリの状態９５ａやガソリン残量９５ｂである第１の情報を表示する領域である。また、第２の表示領域３ｂは、エネルギ消費の履歴９６ａである第２の情報を表示する領域である。
【００４９】
第１の計器側表示領域６１ａおよび第１のパネル側表示領域６２ａは、ヘアラインの模様９７を有している。一方、第２の計器側表示領域６１ｂおよび第２のパネル側表示領域６２ｂは、模様９７とは異なるカーボン調の模様９８を有している。これにより、表示装置１がオフ状態時において、表示パネル１２には情報を表示する表示領域が複数あること、および模様９７、９８の違いにより表示領域の境界を視認者に認識させることができる。また、例えば、第１の表示領域３ａのみに情報が表示され、第２の表示領域３ｂには情報が表示されないような場合においても、第２の表示領域３ｂにおいては模様９８を視認させることにより、何らかの情報が表示される領域であることを視認者に認識させることができる。
【００５０】
また、装飾層６７が印刷層である場合、第１のパネル側表示領域６２ａと第２のパネル側表示領域６２ｂとで模様を異ならせるのみならず、透過性インキの色を異ならせて（透過率の異なるインキで）模様を印刷することで、上述と同様の効果を得ることができる。
【００５１】
さらにまた、文字板１３は、計器側表示領域６１およびパネル側表示領域６２に設けられた模様６８と連続的に形成された文字板側模様を有していてもよい。これにより、速度計２および表示画面３と、速度計２および表示画面３の近傍の文字板１３との一体感（シームレス性）を得ることができ、オフ状態時における意匠性をさらに向上させることができる。
【００５２】
また、文字板１３のパネル側表示領域６２は、文字板１３とは別体であってもよい。すなわち、パネル側表示領域６２は文字板１３において開口または透過性を有し、装飾層６７に対応する層が形成された板状部材やフィルムが表示パネル１２の表面側に設けられていてもよい。
【００５３】
表示パネル１２は、セグメント式の液晶表示パネルや有機ＥＬ（Electro-Luminescence）パネル、ＴＦＴ（Thin Film Transistor）等のマトリックス方式の液晶表示パネルや有機ＥＬパネルであってもよい。
【００５４】
本実施形態においては、計器側表示領域６１およびパネル側表示領域６２は、正円形状であって左右対称的に配置されていたが、中央に正円形状の計器側表示領域６１が位置し、その左右に左右対称的に正円形状のパネル側表示領域６２が配置されてもよい。また、計器側表示領域６１の中にもパネル側表示領域６２とは異なるパネル表示領域を有するものであってもよい。
【符号の説明】
【００５５】
１  表示装置
２  速度計（計器）
３  液晶表示画面（表示画面）
３ａ  第１の表示領域
３ｂ  第２の表示領域
１０  指針駆動部
１１  指針
１２  表示パネル
１３  文字板
１３ａ  表面
１３ｂ  裏面
１４  回路基板
１５  ケース
２１  指針軸
３１  バックライトユニット
４１  指標
６０  装飾リング
６１  計器側表示領域
６１ａ  第１の計器側表示領域
６１ｂ  第２の計器側表示領域
６２  パネル側表示領域
６２ａ  第１のパネル側表示領域
６２ｂ  第２のパネル側表示領域
６５  基材
６６  意匠層
６７  装飾層
６８、８０、９０、９７、９８  模様
７１  中ケース
７２  下ケース
７３  上ケース
【図１】
2019100752.tif 000003
【図２】
2019100752.tif 000004
【図３】
2019100752.tif 000005
【図４】
2019100752.tif 000006
【図５】
2019100752.tif 000007
【図６】
2019100752.tif 000008
【図７】
2019100752.tif 000009